(57)【要約】  本発明は、検出装置（３）および制御ユニット（４）を備える車両衝突緩和システム（２）に関する。検出装置（３）は、トリガ境界（９ａ、９ｂ；１０ａ、１０ｂ）によって画定され、かつ最小トリガ幅（ｗｍｉｎ）と最大トリガ幅（ｗｍａｘ）との間で調整可能である調整可能なトリガ幅を有するトリガ領域を含む特定の視界（６）を検出するように構成される。衝突緩和システム（２）は、衝突の発生が予測された場合に、物体が少なくとも部分的にトリガ境界内に存在することの測定に少なくとも基づいてシステムトリガ信号を送出するように構成される。調整可能なトリガ幅（ｗ）は、特定の期間の間に送出されたシステムトリガ信号の数に基づいて調整可能である。また、本発明は、対応する方法に関する。【選択図】図１
2016522498.tif 000002
【特許請求の範囲】
【請求項１】
検出装置（３）および制御ユニット（４）を備える車両衝突緩和システム（２）であって、前記検出装置（３）が、特定の視界（６）を検出するように構成されており、前記視界（６）が、トリガ境界（９ａ、９ｂ；１０ａ、１０ｂ）によって画定される調整可能なトリガ幅を有するトリガ領域を含み、前記調整可能なトリガ幅（ｗ）が、最小トリガ幅（ｗｍｉｎ）と最大トリガ幅（ｗｍａｘ）との間で調整可能であり、前記衝突緩和システム（２）が、物体が少なくとも部分的に前記トリガ境界内に存在することの測定に少なくとも基づいてシステムトリガ信号を送出するように構成されている車両衝突緩和システム（２）において、前記調整可能なトリガ幅（ｗ）が、特定の期間の間に送出されたシステムトリガ信号の数に基づいて調整可能であることを特徴とする車両衝突緩和システム（２）。
【請求項２】
送出される前記システムトリガ信号が、以下の動作、すなわち、
−自動ブレーキ、
−自動クラクション信号、ならびに
−聴覚的および視覚的および触覚的な、車両の警報信号
の１つまたはいくつかを発生させるように構成されていることを特徴とする、請求項１に記載の車両衝突緩和システム。
【請求項３】
前記衝突緩和システム２が、以下の条件、すなわち、
−衝突の発生の予測、
−衝突までの予測時間ＴＴＣ＜衝突までの最大時間ＴＴＣｍａｘ、
−物体の少なくとも一部がトリガ領域内にあること、および
−不満足なまたは不十分な運転者の動作
が満たされた場合に前記システムトリガ信号を送出するように構成されていることを特徴とする、請求項１または２に記載の車両衝突緩和システム。
【請求項４】
前記車両衝突緩和システムが、前記車両の総運転時間（ｔｔｏｔ）ならびに以前のトリガ機会の数およびタイミングに基づいて、以下、すなわち、
ｗ（ｔｔｏｔ＞ｔｎ）＝ｆ（ｔｔｏｔ、ｔ１、ｔ２、…、ｔｎ）
ただし、ｗは、前記調整可能なトリガ幅であり、ｔｉは、ｉ番目のトリガ機会のタイミングであり、ｎは、前記総運転時間（ｔｔｏｔ）におけるトリガ機会の総数であり、ｔｔｏｔは、前記総運転時間であり、ｆは、先立つトリガ機会のタイミングおよび前記総運転時間（ｔｔｏｔ）に依存する所定の多変数関数である、
により前記調整可能なトリガ幅（ｗ）を調節することによって所望のトリガレート（Ｒ）を維持するように構成されていることを特徴とする、請求項１〜３のいずれか一項に記載の車両衝突緩和システム。
【請求項５】
前記車両衝突緩和システムが、所定の最大経過時間（Ｔ）ならびに以前のトリガ機会の数およびタイミングに基づいて前記調整可能なトリガ幅（ｗ）を調節することによって所望のトリガレート（Ｒ）を維持するように構成されており、前記最大経過時間（Ｔ）が、前記トリガ機会のそれぞれの間の所望の時間に等しく、前記調整可能なトリガ幅（ｗ）が、
ｗ（ｔｔｏｔ＞ｔｎ）＝ｗｐｒｅｖ＋ｇ（ｔｔｏｔ、ｔｐ、ｔｐ＋１、…、ｔｎ）
ただし、ｗは、前記調整可能なトリガ幅であり、ｗｐｒｅｖは、最新の更新時の前記調整可能なトリガ幅ｗの値であり、ｔｉは、ｉ番目のトリガ機会のタイミングであり、ｐは、前記最大経過時間（Ｔ）の間の最初のトリガであり、ｔｔｏｔは、総運転時間であり、ｇは、前記最大経過時間（Ｔ）の間に発生した先立つすべてのトリガ機会のタイミングおよび前記総運転時間（ｔｔｏｔ）に依存する所定の多変数関数である、
によって調整されることを特徴とする、請求項１〜３のいずれか一項に記載の車両衝突緩和システム。
【請求項６】
前記衝突緩和システム（２）が、さらなるパラメータ、すなわち、
物体（５）との衝突までの推定時間もしくは推定距離、および／または
時間もしくは距離のいずれかで測定される、前記物体（５）までの横方向距離
の少なくとも１つに基づいて前記システムトリガ信号を送出するようにさらに構成されており、前記さらなるパラメータが、特定の期間の間に送出された前記システムトリガ信号の数に基づいて調整可能であることを特徴とする、請求項１〜５のいずれか一項に記載の車両衝突緩和システム。
【請求項７】
車両衝突緩和システム（２）のための方法であって、
特定の視界（６）を検出するステップ（１１）であって、調整可能なトリガ幅（ｗ）が、前記視界（６）内のトリガ境界（９ａ、９ｂ；１０ａ、１０ｂ）によって画定され、前記調整可能なトリガ幅（ｗ）が、最小トリガ幅（ｗｍｉｎ）と最大トリガ幅（ｗｍａｘ）との間で調整可能であるステップ（１１）
を含む方法において、
特定の期間の間に送出されたシステムトリガ信号の数に基づいて前記トリガ幅（ｗ）を調整するステップ（１２）であって、前記システムトリガ信号のそれぞれが、物体が少なくとも部分的に前記トリガ境界（９ａ、９ｂ；１０ａ、１０ｂ）内に存在することの測定に少なくとも基づいて送出されるステップ（１２）
をさらに含むことを特徴とする方法。
【請求項８】
前記車両の総運転時間（ｔｔｏｔ）ならびに以前のトリガ機会の数およびタイミングに基づいて、以下、すなわち、
ｗ（ｔｔｏｔ＞ｔｎ）＝ｆ（ｔｔｏｔ、ｔ１、ｔ２、…、ｔｎ）
ただし、ｗは、前記調整可能なトリガ幅であり、ｔｉは、ｉ番目のトリガ機会のタイミングであり、ｎは、前記総運転時間（ｔｔｏｔ）におけるトリガ機会の総数であり、ｔｔｏｔは、前記総運転時間であり、ｆは、先立つトリガ機会のタイミングおよび前記総運転時間（ｔｔｏｔ）に依存する所定の多変数関数である、
により前記調整可能なトリガ幅（ｗ）を調節することによって所望のトリガレート（Ｒ）を維持するステップを含むことを特徴とする、請求項７に記載の方法。
【請求項９】
所定の最大経過時間（Ｔ）ならびに以前のトリガ機会の数およびタイミングに基づいて前記調整可能なトリガ幅（ｗ）を調節することによって所望のトリガレート（Ｒ）を維持するステップであって、前記最大経過時間（Ｔ）が、トリガ機会のそれぞれの間の所望の時間に等しく、前記調整可能なトリガ幅（ｗ）が、
ｗ（ｔｔｏｔ＞ｔｎ）＝ｗｐｒｅｖ＋ｇ（ｔｔｏｔ、ｔｐ、ｔｐ＋１、…、ｔｎ）
ただし、ｗは、前記調整可能なトリガ幅であり、ｗｐｒｅｖは、最新の更新時の前記調整可能なトリガ幅ｗの値であり、ｔｉは、ｉ番目のトリガ機会のタイミングであり、ｐは、前記最大経過時間（Ｔ）の間の最初のトリガであり、ｔｔｏｔは、総運転時間であり、ｇは、前記最大経過時間（Ｔ）の間に発生した先立つすべてのトリガ機会のタイミングおよび前記総運転時間（ｔｔｏｔ）に依存する所定の多変数関数である、
によって調整されるステップを含むことを特徴とする、請求項７に記載の方法。
【請求項１０】
さらなるパラメータ、すなわち、
物体との衝突までの推定時間もしくは推定距離、および／または
時間もしくは距離のいずれかで測定される、物体までの横方向距離
の少なくとも１つに基づいて前記システムトリガ信号を送出するステップであって、前記さらなるパラメータが、特定の期間の間に送出された前記システムトリガ信号の数に基づいて調整可能であるステップをさらに含むことを特徴とする、請求項７〜９のいずれか一項に記載の方法。
【発明の詳細な説明】
【技術分野】
【０００１】
本発明は、検出装置および制御ユニットを備える車両衝突緩和システムに関する。検出装置は、トリガ境界によって画定される調整可能なトリガ幅を有するトリガ領域を含む特定の視界を検出するように構成される。調整可能なトリガ幅は、最小トリガ幅と最大トリガ幅との間で調整可能である。衝突緩和システムは、物体が少なくとも部分的にトリガ境界内に存在することの測定に少なくとも基づいてシステムトリガ信号を送出するように構成される。
【０００２】
また、本発明は、車両衝突緩和システムのための方法に関する。本方法は、特定の視界を検出するステップであって、調整可能なトリガ幅が、視界内のトリガ境界によって画定されるステップを含む。調整可能なトリガ幅は、最小トリガ幅と最大トリガ幅との間で調整可能である。
【背景技術】
【０００３】
今日、一部の車両は、レーダーおよび／または視覚センサ機構を備える衝突緩和システムまたは衝突回避システムを備える。これらのシステムは、車両および歩行者などの移動物体ならびに車両の走行路の前方にある車道構造物などの静止物体を検出するように構成されている。
【０００４】
結果として、このようなシステムは、車両と検出された物体との衝突の可能性が閾値を超えたと判定されたときに例えば警報および／または自動ブレーキの形で安全動作を提供し得る。
【０００５】
米国特許第６０３５０５３号明細書は、物体を検出するために構成された移動物体認識システムであって、警報の回数を低減するために物体の横方向速度が考慮される移動物体認識システムを開示している。
【０００６】
典型的な既知の衝突緩和システム（例えば、米国特許第６０３５０５３号明細書で説明されているような）の場合、車両の前方の、車両の走行路を横断しようとしている歩行者が道路に飛び出す可能性により、十分に前もった検出が必要とされる。車両の走行路の外にいる歩行者が検出された場合、歩行者が、衝突の可能性のある仕方で走行路を横断する可能性があるか否かが判定され得る。このような判定は、歩行者が車両の走行路に出る前になされ得る。
【先行技術文献】
【特許文献】
【０００７】
【特許文献１】米国特許第６０３５０５３号明細書
【発明の概要】
【発明が解決しようとする課題】
【０００８】
しかしながら、上記は、実際に車両の走行路に接近しつつある歩行者が、衝突が発生するような仕方で車両の走行路に進入するか否か、または歩行者が衝突の発生の前に停止するか否かを判定することが難しいため、不必要な安全動作（例えば、警報およびブレーキの形の）の原因となる場合があり、さらに、このこと自体が、事故の原因となる場合がある。
【０００９】
安全動作に関する早期の判定は、高い安全性を提供するが、多くの不必要な安全動作をもたらし得る。遅い判定は、不必要な安全動作を減らすが、ブレーキおよび警報までの不十分な時間をもたらす。
【００１０】
さらに、歩行者の少ない地域で適切に動作するように工場で調整されたシステムは、歩行者の多い地域において多くの起動をもたらし得る。このように、様々な状況において様々な必要性が存在する。
【００１１】
多くの不必要な安全動作を伴う衝突緩和システムは、少なくとも混乱させるものであり、また、潜在的に危険なものであり得る。
【００１２】
また、その存在および機能の確認を提供する衝突緩和システムを有するために、１つまたはいくつか安全動作に関して特定のトリガレートを有することが望ましい場合がある。
【００１３】
したがって、本発明の目的は、衝突緩和システムであって、起動の回数が、このタイプのより信頼でき、かつ使用できる衝突緩和システムを得るために、所望のトリガレートを維持ながら調整される衝突緩和システムを提供することである。これに関連して、最初にトリガレートが工場で設定されることが好ましい。
【課題を解決するための手段】
【００１４】
前記目的は、検出装置および制御ユニットを備える車両衝突緩和システムによって達成される。検出装置は、トリガ境界によって画定される調整可能なトリガ幅を有するトリガ領域を含む特定の視界を検出するように構成される。調整可能なトリガ幅は、最小トリガ幅と最大トリガ幅との間で調整可能である。衝突緩和システムは、物体が少なくとも部分的にトリガ境界内に存在することの測定に少なくとも基づいてシステムトリガ信号を送出するように構成される。調整可能なトリガ幅は、特定の期間の間に送出されたシステムトリガ信号の数に基づいて調整可能である。
【００１５】
また、前記目的は、車両衝突緩和システムのための方法によって達成される。本方法は、特定の視界を検出するステップであって、調整可能なトリガ幅が、視界内のトリガ境界によって画定されるステップを含む。調整可能なトリガ幅は、最小トリガ幅と最大トリガ幅との間で調整可能である。
【００１６】
本方法は、特定の期間の間に送出されたシステムトリガ信号の数に基づいてトリガ幅を調整するステップをさらに含む。各システムトリガ信号は、物体が少なくとも部分的にトリガ境界内に存在することの測定に少なくとも基づいて送出される。
【００１７】
例によれば、車両衝突緩和システムは、車両の総運転時間ならびに以前のトリガ機会（ｔｒｉｇｇｅｒ  ｏｃｃａｓｉｏｎ）の数およびタイミングに基づいて、以下、すなわち、
ｗ（ｔｔｏｔ＞ｔｎ）＝ｆ（ｔｔｏｔ、ｔ１、ｔ２、…、ｔｎ）
ただし、ｗは、調整可能なトリガ幅であり、ｔｉは、ｉ番目のトリガ機会のタイミングであり、ｎは、総運転時間におけるトリガ機会の総数であり、ｔｔｏｔは、総運転時間であり、ｆは、先立つトリガ機会のタイミングおよび総運転時間に依存する所定の多変数関数である、
により、調整可能なトリガ幅を調節することによって所望のトリガレートを維持するように構成される。
【００１８】
別の例によれば、調整可能なトリガ幅は、所定の最大経過時間ならびに以前のトリガ機会の数およびタイミングに基づいて調節される。最大経過時間は、各トリガ機会の間の所望の時間に等しく、調整可能なトリガ幅は、
ｗ（ｔｔｏｔ＞ｔｎ）＝ｗｐｒｅｖ＋ｇ（ｔｔｏｔ、ｔｐ、ｔｐ＋１、…、ｔｎ）
ただし、ｗは、調整可能なトリガ幅であり、ｗｐｒｅｖは、最新の更新時の調整可能なトリガ幅ｗの値であり、ｔｉは、ｉ番目のトリガ機会のタイミングであり、ｐは、最大経過時間（Ｔ）の間の最初のトリガであり、ｔｔｏｔは、総運転時間であり、ｇは、最大経過時間の間に発生した先立つすべてのトリガ機会のタイミングおよび総運転時間に依存する所定の多変数関数である、
によって調整される。
【００１９】
他の例は、従属請求項から明らかになる。
【００２０】
多数の利点が、本発明によって得られる。主に、所望のトリガレートが、先立つシステムトリガ機会に基づいてシステムパラメータを調整することによって運転スタイルおよび運転状況に関係なく達成され得る。これは、トリガ機会の数がその存在および機能の確認を提供しながらも邪魔にならないように調整されることから運転者の快適性を最適化し、実生活の利点を提供するため好ましい。
【００２１】
本発明は、先立つ起動および所望のトリガレートに基づいて起動閾値を自動的に調節することを目的としている。
【００２２】
次に、本発明は、添付図面を参照してより詳細に説明される。
【図面の簡単な説明】
【００２３】
【図１】通常走行中の車両の概略上面図を示している。
【図２】本発明に係る方法のフローチャートを示している。
【発明を実施するための形態】
【００２４】
図１を参照すると、車両１は、衝突緩和システム２を備え、さらに衝突緩和システム２は、カメラ機構３および処理装置４を備える。車両１は、特定の車両速度（Ｖｈ）で移動しており、車両の進路の近傍には、物体５が存在し、ここでは、物体５は、カメラ機構３の視界６に入っていて、視界６は、対称線７を中心に存在している。物体は、衝突までの最大時間ＴＴＣｍａｘに対応する、車両からの距離８内にある。なお、ＴＴＣｍａｘは、衝突緩和システム２によって考えられている、衝撃までの最大時間を示している。
【００２５】
さらに、トリガ領域が、視界６には含まれており、また、トリガ領域は、トリガ幅ｗｍｉｎ、ｗｍａｘを画定するトリガ境界９ａ、９ｂ；１０ａ、１０ｂによって画定される。
【００２６】
少なくとも部分的にトリガ領域内に存在する物体との衝突の発生が予測されると、衝突緩和システム２は、以下の条件、すなわち、
１．衝突の発生の予測、
２．予測されたＴＴＣ＜ＴＴＣｍａｘ、
３．物体の少なくとも一部がトリガ領域内にあること、および
４．不満足なまたは不十分な運転者の動作
が満たされた場合に所定の安全動作（警報または自動ブレーキなど）を開始させるように構成されたシステムトリガ信号を送出する。
【００２７】
第１の条件（衝突の発生の予測）は、衝突が差し迫っていることを必ずしも意味せず、比較的離れていてもよい物体が予測された衝突コース上にあることを意味するに過ぎない。
【００２８】
高機能センサシステムの場合、センサ関連のエラー（ｓｅｎｓｏｒ  ｒｅｌａｔｅｄ  ｅｒｒｏｒ）は、まれにしかシステムトリガ機会の原因にならない。このようなエラーの例は、
ゴースト検出、
影、
鏡像、
霧（Ｓｔｅａｍ）、
柱（Ｐｏｓｔ）、および
不適切な歩行者の位置および速度
である。
【００２９】
トリガ機会のとき、システムトリガ信号が送出される。
【００３０】
最後を除くすべてのエラーは、ゴースト検出を構成し、一方、最後のエラーは、トラッキングエラーを構成する。
【００３１】
システムトリガ機会が、まれにセンサ関連のエラーに起因する場合、システムトリガ機会は、衝突の危険のある歩行者に対してのみ発生する。歩行者とのインシデントおよび事故は、大部分の運転者および運転状況にとってまれであるため、これは、通常、車両寿命の間にほとんどシステムトリガ機会につながらない。しかしながら、動いているたくさんの歩行者がいる地域（非常に大きな都市など）および上記に係る不必要な安全動作の他の原因がより一般的である地域では、望ましくないシステムトリガ機会の数を最小に低減することが望ましい。
【００３２】
このことは、衝突が不可避な場合にのみシステムをトリガすることによって達成され得る。しかしながら、このことは、減速のために不十分な時間しか利用できなくなるため、衝突緩和システムの保護レベルの低下につながり得る。あらゆる運転状況のあらゆる車が、このような制限された仕方で設計されるとしたら、衝突緩和システムの保護レベルは、不十分なものになるであろう。さらに、大部分の運転者は、システム起動を全く経験しない。したがって、これは、最適な運転者の快適性または実生活の利益につながらない。
【００３３】
図１に示されているように、トリガ境界は、最小トリガ幅ｗｍｉｎを有する最小トリガ境界９ａ、９ｂに関する内側限界と、最大トリガ幅ｗｍａｘを有する最大トリガ境界１０ａ、１０ｂに関する外側限界との間で調整可能である。
【００３４】
上に明示されている限界ｗｍｉｎ、ｗｍａｘの間で、トリガ境界は調整可能であり、このため、調整可能なトリガ幅ｗは、最小トリガ幅ｗｍｉｎと最大トリガ幅ｗｍａｘとの間で調整可能になっている。
【００３５】
本発明によれば、調整可能なトリガ幅ｗは、特定の期間の間に発生したシステムトリガ機会の数に基づいて、したがって、前記特定の期間の間に送出されたシステムトリガ信号の数に基づいて調整可能である。
【００３６】
第１の例によれば、所望のトリガレートＲは、車両の総運転時間ｔｔｏｔならびに以前のトリガ機会の数およびタイミングに基づいて以下の式により、調整可能なトリガ幅ｗを調節することによって維持されてもよい。
ｗ（ｔｔｏｔ＞ｔｎ）＝ｆ（ｔｔｏｔ、ｔ１、ｔ２、…、ｔｎ）  （１）
ただし、ｔｉは、ｉ番目のトリガ機会のタイミングであり、ｎは、総運転時間ｔｔｏｔにおけるトリガ機会の総数であり、ｆは、先立つトリガ機会のタイミングおよび総運転時間ｔｔｏｔに依存する所定の多変数関数である。
【００３７】
第２の例によれば、所望のトリガレートＲは、各トリガ機会の間の所望の時間に等しい時間スケールＴ＝１／Ｒを誘導する。この例では、調整可能なトリガ幅ｗは、総運転時間ｔｔｏｔに基づかないが、上記に係る、各トリガ機会の間の所望の時間に等しい所定の最大経過時間Ｔに基づく。したがって、調整可能なトリガ幅ｗは、以下のように書かれる。
ｗ（ｔｔｏｔ＞ｔｎ）＝ｗｐｒｅｖ＋ｇ（ｔｔｏｔ、ｔｐ、ｔｐ＋１、…、ｔｎ）  （２）
ただし、ｗｐｒｅｖは、最新の更新時の調整可能なトリガ幅ｗの値であり、ｔｉは、ｉ番目のトリガ機会のタイミングであり、ｐは、最大経過時間Ｔの間の最初のトリガ機会であり、ｔｔｏｔは、総運転時間であり、ｇは、最大経過時間Ｔに発生した先立つすべてのトリガ機会のタイミングおよび総運転時間ｔｔｏｔに依存する所定の多変数関数である。
【００３８】
上記の方程式（２）の例として、ｔｔｏｔ＝１０年であり、Ｔは、ある時間帯の形で連続的に走行した１／２年である。もし今日が、７月１日であり、ｔｐが、１月３日にトリガされた場合、先立つトリガ機会ｔｐ−１は、１月１日より前にトリガされている。したがって、すべてのトリガ機会ｔｐ、ｔｐ＋１、…、ｔｎは、時間Ｔの間に発生している。
【００３９】
変化率の例として、最大経過時間Ｔの間にシステムトリガ機会がない場合、調整可能なトリガ幅ｗは、次のトリガ機会まで、またはｗｍａｘに達するまで変化率Δｗ／Ｔで時間とともに線形的に増加される。なお、Δｗ＝ｗｍａｘ−ｗｍｉｎである。
【００４０】
さらに、２つ以上のシステムトリガ機会が、最大経過時間Ｔ内で発生した場合、ｗは、（１−Δｔ／Ｔ）＊Δｗ＊ｋｗによって低減される。なお、Δｔは、最後の２つのシステムトリガ機会の間の時間であり、ｋｗは、１以下の正の定数である。
【００４１】
この例では、アルゴリズムは、以下のパラメータ、すなわち、
所望のトリガレートＲ、
最小トリガ幅ｗｍｉｎ、
最大トリガ幅ｗｍａｘ、
実数定数０＜ｋｗ≦１
によって規定される。
【００４２】
トリガ幅９ａ、９ｂ；１０ａ、１０ｂは、上記の例において対称線７を中心に対称に構成されるものとして示されている。しかしながら、このことは必須ではなく、調整可能なトリガ幅ｗは、適切な限り、異なる側で不均等に適用されてもよい。
【００４３】
本発明は、先立つシステムトリガ機会に基づいてシステムパラメータを調整することによって運転スタイルおよび運転状況に関係なく所望のトリガレートを実現することを目的としている。このことは、運転者の快適性および実生活の利益を最適化するため好ましい。トレードオフは、初期のトリガ機会と末期のトリガ機会との間で提供され、トレードオフは適応的である。
【００４４】
初期のトレードオフが、結果としてシステムトリガ機会がほとんどない状態でなされる場合、トレードオフは、トリガ機会の数が、その存在および機能の確認を与えながらも邪魔にならないようにさらに調整されてもよい。
【００４５】
考慮される調整可能なパラメータは、トリガ幅ｗだけでなくてもよく、さらに、さらなる調整可能なパラメータが使用されてもよい。このようなさらなる調整可能なパラメータの例は、物体５との衝突までの推定時間もしくは推定距離および／または時間もしくは距離において測定される物体５までの横方向距離である。これらのさらなる調整可能なパラメータもまた、特定の期間の間に送出されたシステムトリガ信号の数に基づいて調整可能である。
【００４６】
図２を参照すると、本発明はまた、車両衝突緩和システム２のための方法であって、
１１：特定の視界６を検出するステップであって、調整可能なトリガ幅ｗが、視界６内のトリガ境界９ａ、９ｂ；１０ａ、１０ｂによって画定されるステップ
を含む方法に関する。調整可能なトリガ幅ｗは、最小トリガ幅ｗｍｉｎと最大トリガ幅ｗｍａｘとの間で調整可能である。
【００４７】
本方法は、
１２：特定の期間の間に送出されたシステムトリガ信号の数に基づいてトリガ幅ｗを調整するステップ
をさらに含む。各システムトリガ信号は、物体が少なくとも部分的にトリガ境界９ａ、９ｂ；１０ａ、１０ｂ内に存在することの測定に少なくとも基づいて送出される。
【００４８】
本発明は、上記の例に限定されず、添付の特許請求の範囲内で自由に変更されてもよい。例えば、説明されている衝突緩和システムは、歩行者に関して説明されているが、言うまでもなく、これは、動物、他の車両（乗用車など）、および自転車などにも有効である。
【００４９】
カメラ機構は、適切な前方検出装置の例に過ぎず、この代わりに、例えばレーダー機構、ＬＩＤＡＲ、または同様のレーザ装置が使用されてもよく、また、これらの組み合わせが使用されてもよい。音響機構も考えられる。
【００５０】
送出されるシステムトリガ信号は、１つまたはいくつかの動作（例えば、自動ブレーキ、自動クラクション信号、ならびに車両の警報信号（聴覚的および視覚的および触覚的な））を発生させるように構成されてもよい。
【００５１】
最小トリガ幅ｗｍｉｎの例は、車両自体の幅であるが、言うまでもなく、この値を上回っても、下回ってもよい。最大トリガ幅ｗｍａｘの例は、最小トリガ幅ｗｍｉｎに比べて車両の各側面から１メートル広いものである。
【００５２】
衝突緩和システム２は、典型的には７ｋｍ／ｈ〜７０ｋｍ／ｈで機能する。これらの図は、例に過ぎず、決して限定と見なされてはならない。緩和システム２が機能する多くの他の速度範囲（ｓｐｅｅｄ  ｗｉｎｄｏｗ）も可能である。それどころか、それは、あらゆる速度で機能してもよい。
【図１】
2016522498.tif 000003
【図２】
2016522498.tif 000004
【国際調査報告】
2016522498.tif 000005
2016522498.tif 000006
2016522498.tif 000007
2016522498.tif 000008